(57)【要約】【課題】投射型表示装置とスクリーンの画角調整を含む設置調整を容易に行う。【解決手段】液晶パネル等の光変調素子３で変調した光を投影レンズ４でスクリーンに投影する投射型表示装置１は、スクリーンに対する設置調整を行う水準器５、及び光変調素子３とスクリーンの水平面の平行を保つ画角調整を行う画角調整装置を有する。画角調整装置は光変調素子３のパネル中心の水平・垂直十字線と四角のコーナーをスクリーンに表示するＯＳＤ（On Screen Display）で、水準器５によって、光変調素子３とスクリーンの垂直面の平行性、光変調素子３とスクリーンの線の平行性を保った状態で、スクリーン上に投影されたＯＳＤを見ながら、歪んだＯＳＤが正しいＯＳＤとなるように投射型表示装置１を調整すれば、光変調素子３とスクリーン水平面の平行性が保たれる。【選択図】図１
2007003595.tif 000002
【特許請求の範囲】
【請求項１】
光変調素子による変調光を投射光学系でスクリーンに投影する投射型表示装置において、前記スクリーンに対する設置調整を行うための水準器、及び前記光変調素子とスクリーンの水平面の平行を保つ画角調整を行うための画角調整装置を具備することを特徴とする投射型表示装置。
【請求項２】
請求項１に記載の投射型表示装置において、前記画角調整装置は前記画角調整のためのＯＳＤ表示を行うＯＳＤ装置であることを特徴とする投射型表示装置。
【請求項３】
請求項２に記載の投射型表示装置において、前記スクリーンにミラーを装着し、該ミラーにより前記ＯＳＤ表示を反射させ、前記投射型表示装置で受光して前記画角調整を行うことを特徴とする投射型表示装置。
【請求項４】
請求項２に記載の投射型表示装置において、前記スクリーンに水平・垂直のセンタを示すマーカを設け、前記スクリーンと前記ＯＳＤ表示の組み合わせに基づいて前記画角調整を行うことを特徴とする投射型表示装置。
【請求項５】
請求項３または４に記載の投射型表示装置において、水平・垂直のレンズシフト装置を具備することを特徴とする投射型表示装置。
【発明の詳細な説明】
【技術分野】
【０００１】
本発明は、投射型表示装置に関し、さらに詳しくは、液晶パネル等からなる光変調素子を搭載した投射型表示装置において、水準器を用いた設置調整と、光変調素子とスクリーンの水平面の平行を保つ画角調整を容易に行うことが可能な投射型表示装置に関する。
【背景技術】
【０００２】
液晶プロジェクタに代表される、光変調素子によって変調された光を投射光学系でスクリーン上に投影して拡大表示する投射型表示装置において、スクリーンと投影画像を一致させるためには、次の設置要件が必要である。
（１）光変調素子とスクリーンの水平面の平行が保たれる。（水平面の正対）
（２）光変調素子とスクリーンの垂直面の平行が保たれる。（垂直面の正対）
（３）光変調素子とスクリーンの線の平行が保たれる。
（４）スクリーン中心からの垂線と投影レンズの光軸が一致する。
【０００３】
図６は、ランプ、単板の液晶パネル、投射レンズからなる従来の投射型表示装置を説明するための図で、図６（Ａ）は上面図、図６（Ｂ）は側面図、図６（Ｃ）は正面図である。
従来の投射型表示装置１は、光源２、液晶パネル等からなる光変調素子３、投影レンズ４等からなり、例えば液晶パネルからなる光変調素子３には所望の映像信号が入力され画像が形成される。光源２から出射された光は、光変調素子３に形成された画像によって変調され、投影レンズ４によって投射型表示装置１から離間して設置されたスクリーンに拡大投射され、映像信号に基づく投影画像が形成される。
【０００４】
図７は、前記（１）〜（４）の設置要件を満たした場合の投射型表示装置とスクリーンの関係を示す平面図、及び光変調素子と光変調素子上に形成された画像の関係を示す図、並びにスクリーンと投影された画像の関係を示す図である。
投射型表示装置１に内蔵された液晶パネル等の光変調素子３とスクリーン６の関係が、前記（１）〜（４）の設置要件を満たしている場合、光変調素子３に形成された原画像１１は、投影レンズ４によりスクリーン６に拡大投射され、正確な投影画像１２が形成される。
【０００５】
図８は、前記（１）の設置要件である、液晶パネル等の光変調素子がスクリーンに対し水平方向に平行が保たれない場合の投射型表示装置とスクリーンの関係を示す平面図、及びスクリーンと投影された画像の関係を示す図である。
液晶パネル等の光変調素子３がスクリーン６に対し水平方向に平行が保たれない場合、スクリーン６の左右において光路長が異なることになるので、水平の台形歪が発生した投影画像１２が形成される。
【０００６】
図９は、前記（２）の設置要件である、液晶パネル等の光変調素子がスクリーンに対し垂直方向に平行が保たれない場合の投射型表示装置とスクリーンの関係を示す平面図、及びスクリーンと投影された画像の関係を示す図である。
液晶パネル等の光変調素子３がスクリーン６に対し垂直方向に平行が保たれない場合、スクリーン６の上下において光路長が異なることになるので、垂直の台形歪が発生した投影画像１２が形成される。
【０００７】
図１０は、前記（３）の設置要件である、液晶パネル等の光変調素子とスクリーンの線の平行が保たれない場合の投射型表示装置とスクリーンの関係を示す正面図、及びスクリーンと投影された画像の関係を示す図である。
液晶パネル等の光変調素子３とスクリーン６の線の平行が保たれない場合、スクリーン上で傾いた投影画像１２が形成される。
【０００８】
図１１は、前記（４）の設置要件である、スクリーンの中心と投影レンズの光軸が一致していない場合の投射型表示装置とスクリーンの関係を示す正面図、及びスクリーンと投影画像の関係を示す図である。
スクリーン６の中心と投影レンズ４の光軸が一致していない場合、スクリーン６上に中央からはずれた投影画像１２が形成される。
【０００９】
実際の設置においては、前記（１）〜（４）の設置要件が絡み合って満たさない状態になっている。
この（１）〜（４）の設置要件を満たすためには、投射型表示装置とスクリーンの角度、寸法を正確に把握しながら設置する必要があるが、極めて専門性の高い作業であり、一般ユーザには難しい作業となる。また、このようにして投射型表示装置を設置したとしても、投射型表示装置を移動するたびにこのような作業を行うのは煩雑である。したがって、このような角度、寸法を意識せずにスクリーン上に投影される画像を見ながら概略の位置関係で設置しているのが現状である。
【００１０】
現実には、投射型表示装置の底板の左右２箇所にアジャスタと呼ばれる調整可能な脚を有し、この脚の伸縮を調整することにより投影画像の調整をすることができるが、どの状態で傾きがなくなったかは、スクリーンに投影された画像を見ながら調整せざるを得なかった。
【００１１】
以上のような問題を改善するため、液晶プロジェクタ装置に関し、以下のような従来例が知られている。
特許文献１には、設置時の水平方向の傾きを自動的に補正し調整する液晶プロジェクタが開示されている。この液晶プロジェクタは、液晶パネルからなる空間光変調素子を光軸回りに回転自在に保持し、水準器センサからの出力により空間光変調素子を回転させることで、前記（３）の設置要件を満たすようにした発明である。
【００１２】
また、特許文献２のプロジェクタの光軸調整装置及びその光軸調整方法には、スクリーンからの反射光をプロジェクタに設置した直線光路を通し、受光センサで受光し、反射光が最大となるように光軸の調整をする方法が開示されている。
【００１３】
さらに、特許文献３には、投射型映像表示装置にジャイロセンサ等の角度センサを設け、またスクリーン上にも角度センサを設け、それぞれのセンサから得られる傾き量によって画像が適正になるように補正する方法が開示されている。
【特許文献１】特開平９−３１８９２３号公報
【特許文献２】特開２００１−１２５１９２号公報
【特許文献３】特開２００３−１８５０１号公報
【発明の開示】
【発明が解決しようとする課題】
【００１４】
しかしながら、特許文献１に開示された液晶プロジェクタでは、前記（３）の設置要件を満たすことはできるが、（１）、（２）、（４）の設置要件の補正について提案されておらず、また、液晶パネルを回転させる機構等は高価な機構となり、電気的な接続等を考えても実現が容易でないものと思われる。
【００１５】
また、特許文献２に開示されたプロジェクタの光軸調整装置及びその光軸調整方法によれば、（１）、（２）の設置要件は満たすことができるが、（３）、（４）の設置要件は受光センサで検出することは困難である。また、（１）、（２）の設置要件にしても、光軸が一致したときに受光センサの出力が最大になることを利用しているが、実際のスクリーンの反射特性はピーク付近ではなだらかな変化を示し、５〜１０゜程度の誤差が発生するものと思われ、正確な設置は困難であるという問題を有している。
【００１６】
また、特許文献３に開示された方法は、投射型表示装置とスクリーンの傾き量により画像を補正する方法であるが、画像を補正する方法では、画像そのものの劣化は避けられない。一般に、シアタープロジェクタと呼ばれる投射型表示装置においては、画質が非常に重要視され画質劣化を伴う画像補正は好まれない傾向にある。スクリーンと投射型表示装置を正しく設置した場合にのみ、その投射型表示装置が本来持っている最高の画質性能を引き出すことが可能となる。
【００１７】
本発明は、このような従来技術が有する問題点に鑑みてなされたもので、投射型表示装置とスクリーンとの関係が前記設置要件を簡単に、また安価な方法で実現することができる投射型表示装置を提供することを目的とする。
【課題を解決するための手段】
【００１８】
本発明は、前記課題を解決するための手段を提供するもので、第１の技術手段は、光変調素子による変調光を投射光学系でスクリーンに投影する投射型表示装置において、前記スクリーンに対する設置調整を行うための水準器、及び前記光変調素子とスクリーンの水平面の平行を保つ画角調整を行うための画角調整装置を具備することを特徴とする。
【００１９】
第２の技術手段は、第１の技術手段の投射型表示装置において、前記画角調整装置は前記画角調整のためのＯＳＤ表示を行うＯＳＤ装置であることを特徴とする。
【００２０】
第３の技術手段は、第２の技術手段の投射型表示装置において、前記スクリーンにミラーを装着し、該ミラーにより前記ＯＳＤ表示を反射させ、前記投射型表示装置で受光して前記画角調整を行うことを特徴とする。
【００２１】
第４の技術手段は、第２の技術手段の投射型表示装置において、前記スクリーンに水平・垂直のセンタを示すマーカを設け、前記スクリーンと前記ＯＳＤ表示の組み合わせに基づいて前記画角調整を行うことを特徴とする。
【００２２】
第５の技術手段は、第３または第４の技術手段の投射型表示装置において、水平・垂直のレンズシフト装置を具備することを特徴とする。
【発明の効果】
【００２３】
本発明の技術手段によれば、以下のような効果がもたらされる。
本発明の投射型表示装置は、光変調素子で変調した光を投射光学系でスクリーンに投影する投射型表示装置において、前記スクリーンに対する設置調整を行うための水準器、及び前記スクリーンに対する画角調整を行うための画角調整装置を具備するので、簡単かつ正確に設置要件（１）、（２）、（３）を調整することが可能となる。
また、前記画角調整装置は前記画角調整のためのＯＳＤ表示を行うＯＳＤ装置であるので、別個のジグ等を用いずに設置要件（１）〜（４）を調整することが可能となる。
【００２４】
また、本発明の投影型表示装置は、前記スクリーンにミラーを装着し、該ミラーより前記ＯＳＤ表示を反射させ、前記投射型表示装置で受光して前記画角調整を行うので、設置要件（１）〜（４）を調整することが可能となる。
また、前記スクリーンに水平・垂直のセンタを示すマーカを設け、前記スクリーンと前記ＯＳＤ表示の組み合わせに基づいて前記画角調整を行うので、設置要件（１）〜（４）を調整することが可能となる。
【００２５】
また、本発明の投射型表示装置は、水平・垂直のレンズシフト装置を具備するので、設置要件（４）がスクリーン中心とレンズの光軸を一致させなくても、正確な投影が可能となるため、投射型表示装置の設置範囲が広がった中で、設置要件（１）〜（４）を調整して正確な投影をすることが可能となる。
【発明を実施するための最良の形態】
【００２６】
本発明は、液晶パネル等の光変調素子で変調した光を投影レンズでスクリーンに投影する投射型表示装置において、水準器を用いた設置調整と、光変調素子とスクリーンの水平面の平行を保つ画角調整を簡単に、また安価な方法で実現することができる投射型表示装置を提供することを目的とする。そのため、投射型表示装置は、スクリーンに対する設置調整を行う水準器、及びスクリーンに対する画角調整を行う画角調整装置を有する。画角調整装置は光変調素子のパネル中心の水平・垂直十字線と四角のコーナーをスクリーンに表示するＯＳＤで、水準器によって光変調素子とスクリーンの垂直面の平行性、光変調素子とスクリーンの線の平行性を保った状態で、スクリーンに表示されたＯＳＤを見ながら、設置調整がずれているために歪んだＯＳＤが正しいＯＳＤとなるように投射型表示装置を調整することにより、光変調素子とスクリーン水平面の平行性が保たれ、スクリーン中心からの垂線と投影レンズの光軸が一致するように調整されるものである。
【実施例１】
【００２７】
以下、本発明による投射型表示装置の実施例を図１〜図５に基づいて説明する。
図１は、本発明の実施例１による投射型表示装置を説明するための図で、図１（Ａ）は上面図、図１（Ｂ）は側面図である。
実施例１の投射型表示装置は、液晶パネル等からなる光変調素子３の平面の姿勢を測定するために水準器４を取り付けている。設置要件（２）、（３）を満たすためには、投射型表示装置１の前後の傾き、及び左右の傾きをなくす必要がある。
【００２８】
本発明は、投射型表示装置１において液晶パネル等の光変調素子３が垂直に設置されていることを検出するための水準器５を投射型表示装置１の上面板等に設けている。
水準器５について概略を説明すると、水準器とは面の水平を測定するためのもので、アルコールや不燃性特殊溶液を入れた円形や棒状のガラス製容器に１つの気泡５ａを封入し密閉したもので、容器の水平面が微妙な曲面になっていることにより、水準器を置いた面の角度によって気泡５ａの位置が変化する。少しでも傾いていると気泡は容器の中央に表示されたセンタマーカ５ｂから離れ、水平面上では気泡５ａは中央のセンタマーカ５ｂの位置に静止する。したがって、本発明による水準器５を備えた投射型表示装置１では、スクリーンに投影された投影画像をみなくても、水準器５を見ながら気泡５ａが水準器５の中央のセンタマーカ５ｂ位置に静止するように投射型表示装置の傾きを調整することによって、前記設置要件（２）、（３）が正確に調整できることになる。
【００２９】
図２は、実施例１の投射型表示装置によってスクリーン上に表示される調整用ＯＳＤ（On Screen Display）を示す図で、図２（Ａ）は、設置要件（１）〜（４）を満たしている場合のＯＳＤを示し、図２（Ｂ）は、水平方向の画角がずれている場合のＯＳＤを示す。
調整用ＯＳＤ（On Screen Display）１３は、液晶パネル等の光変調素子３の水平方向中心、垂直方向中心を示す十字線と四角のコーナーを示す画像で構成されている。水準器５で設置要件（２）、（３）を調整したとしても、設置要件（１）は水平方向のずれのために水準器５にはそのずれ量が現れない。ここで、図２（Ａ）に示す調整用ＯＳＤ１３を液晶パネル等の光変調素子３に形成し、スクリーン６に対し投影して表示した場合、もし光変調素子３とスクリーン６の水平面の平行がずれている場合は、図２（Ｂ）のように投影されることになる。つまり、スクリーン６に対してコーナーがずれてしまう。ここで、ＯＳＤを見ながら、図２（Ａ）になるように投射型表示装置１を調整すれば、自ずと設置要件（１）、（４）が調整できる。水準器５で予め設置要件（２）、（３）を調整してあるため、従来の投射型表示装置で行っていたように設置要件（１）〜（４）を同時に、見た目だけで調整していたのに比べ、短時間に容易に調整することが可能である。
【実施例２】
【００３０】
図３は、実施例２の投射型表示装置において、設置要件（１）〜（４）を満たしている場合の投射型表示装置とスクリーンの関係を示す図で、図３（Ａ）は、スクリーン上に調整用ＯＳＤが表示された様子を示し、図３（Ｂ）は、投射型表示装置に反射光が照射されている様子の正面図を示し、図３（Ｃ）は、図３（Ｂ）の側面図を示す。
実施例２の投射型表示装置における設置調整においては、設置要件（１）、（４）の調整をより正確に調整するため、スクリーン６に対角線が形成されるように糸７ａを取り付け、また対角線の中心に位置するように、糸７ａにミラー７ｂを取り付けた光軸調整ジグ７をスクリーン６に取り付ける。
【００３１】
光軸調整ジグ７のミラー７ｂに取り付けられた２本の糸７ａをそれぞれスクリーン６の対角に張ることにより、ミラー７ｂは必然的にスクリーン６の中央に配置される。この状態で、実施例１で説明したＯＳＤを投影すると、スクリーン６の中央の像はミラー７ｂで投射型表示装置に向かって反射される。
【００３２】
投射型表示装置１には投影レンズ４の部分をくりぬいたホワイトボード８が取り付けられている。スクリーン６上のミラー７ｂで反射した光は、投射型表示装置側に反射されて戻ることになるが、このとき調整用ＯＳＤ１３の中心の十字部分が投影レンズ４の部分に取り付けたホワイトボード８に照射される。この十字部分が投影レンズ４の中心を通るように投射型表示装置１を調整すれば、スクリーン６に対する投射型表示装置１の設置要件（１）、（４）を満足することになる。
【実施例３】
【００３３】
図４は、実施例３の投射型表示装置とともに用いるスクリーンを示す図で、図４（Ａ）は、設置要件（１）〜（４）を満たしている場合における調整用ＯＳＤを示し、図４（Ｂ）は、設置要件（１）を満たしていない場合における調整用ＯＳＤを示す。
実施例３の投射型表示装置は、画角調整において、実施例３の光軸調整ジグを使用せずに同様の調整を行うことを可能とするもので、スクリーン６の水平、及び垂直方向のセンタに水平センタマーカ６ａ、垂直センタマーカ６ｂを付したことを特徴とする。
【００３４】
調整用ＯＳＤ１３の中央縦線をスクリーン６の水平センタマーカ６ａに、調整用ＯＳＤ１３の中央横線を垂直センタマーカ６ｂに合致させたとき、設置要件（１）〜（４）を満たしている場合は、図４（Ａ）のように投影されることになる。設置要件（１）が満たされていない場合は、図４（Ｂ）のように投影され、調整用ＯＳＤ１３の中央縦線をスクリーン６の水平のセンタマーカ６ａにあわせたとき、ＯＳＤの左右端の画面がスクリーン６の左右端と一致しないことになる。
【００３５】
図４（Ｂ）の場合は、スクリーン６の中心に対して投射型表示装置１が左方向から投影している場合であり、この場合は投射型表示装置１を右側に移動し、調整用ＯＳＤの中央縦線をスクリーンの水平センタマーカ６ａに合致させつつ調整用ＯＳＤ１３の左右端がスクリーン６の左右端と一致し、調整用ＯＳＤ１３の中央横線がスクリーンの垂直センタマーカ６ｂに合致するように調整すれば、調整要件（１）、（４）を満たすことになる。
【実施例４】
【００３６】
実施例４の投射型表示装置は、レンズシフト装置を具備した投射型表示装置である。レンズシフト装置は、光学的に投影レンズ４の光軸を左右上下に移動するもので、投影画像の歪を伴わずにスクリーンの上下左右に移動できる機能を有する装置である。このようなレンズシフト装置を有する投射型表示装置の場合、設置要件（４）の「スクリーンの中心と、投影レンズの光軸が一致する。」という要件は、「スクリーン面からの垂線とレンズ光軸は平行であること。」のように読み換えることができる。
【００３７】
図５は、実施例４の投射型表示装置によって、投影画像をスクリーンの上下左右に移動する様子を示す図で、図５（Ａ）は、スクリーンの中心と投影レンズの光軸がずれている場合の調整用ＯＳＤを示し、図５（Ｂ）は、レンズシフト装置によって投影レンズの光軸をスクリーンの中心と一致させた調整用ＯＳＤを示す。
図５（Ａ）に示す調整用ＯＳＤ１３は、スクリーン６からの垂線Ｎと投影レンズ４の光軸Ｌは平行であるが、スクリーン６中央からの垂線Ｎと投影レンズ４の光軸Ｌは一致していない場合にスクリーン面に投影されるＯＳＤである。この場合、レンズシフトは行っていないため、設置要件（４）のスクリーン６の中心の垂線Ｎと、投影レンズ４の光軸Ｌが一致していないため、スクリーン上でずれたＯＳＤ投影画像となっている。
【００３８】
図５（Ｂ）に示す調整用ＯＳＤ１３は、レンズシフト装置を用いて調整した投影レンズによって投影された投影図で、画像の歪なく上下左右に画像を移動できるため、スクリーンの中心の垂線Ｎと、投影レンズ４の光軸Ｌが一致していないが、平行条件は満足しているため、スクリーン６の水平及び垂直センタマーカ６ａ，６ｂに調整用ＯＳＤ１３の縦横の中心線をあわせることで、スクリーン６の中央に歪のない投影画像を形成することができる。
【図面の簡単な説明】
【００３９】
【図１】実施例１による投射型表示装置を説明するための図で、図１（Ａ）は上面図、図１（Ｂ）は側面図である。
【図２】実施例１の投射型表示装置によってスクリーン上に表示される調整用ＯＳＤを示す図で、図２（Ａ）は、設置要件（１）〜（４）を満たしている場合のＯＳＤを示し、図２（Ｂ）は、水平方向の画角がずれている場合のＯＳＤを示す。
【図３】実施例２の投射型表示装置において、設置要件（１）〜（４）を満たしている場合の投射型表示装置とスクリーンの関係を示す図で、図３（Ａ）は、スクリーン上に調整用ＯＳＤが表示された様子を示し、図３（Ｂ）は、投射型表示装置に反射光が照射されている様子の正面図を示し、図３（Ｃ）は、図３（Ｂ）の側面図を示す。
【図４】実施例３の投射型表示装置とともに用いるスクリーンを示す図で、図４（Ａ）は、設置要件（１）〜（４）を満たしている場合における調整用ＯＳＤを示し、図４（Ｂ）は、設置要件（１）を満たしていない場合における調整用ＯＳＤを示す。
【図５】実施例４の投射型表示装置によって、投影画像をスクリーンの上下左右に移動する様子を示す図で、図５（Ａ）は、スクリーンの中心と投影レンズの光軸がずれている場合の調整用ＯＳＤを示し、図５（Ｂ）は、レンズシフト装置によって投影レンズの光軸をスクリーンの中心と一致させた調整用ＯＳＤを示す。
【図６】従来の投射型表示装置を説明するための図で、図６（Ａ）は上面図、図６（Ｂ）は側面図、図６（Ｃ）は正面図である。
【図７】設置要件（１）〜（４）を満たした場合の投射型表示装置とスクリーンの関係を示す平面図、及び光変調素子と光変調素子上に形成された画像の関係を示す図、並びにスクリーンと投影された画像の関係を示す図である。
【図８】設置要件（１）である、液晶パネル等の光変調素子がスクリーンに対し水平方向に平行が保たれない場合の投射型表示装置とスクリーンの関係を示す平面図、及びスクリーンと投影された画像の関係を示す図である。
【図９】設置要件（２）である、液晶パネル等の光変調素子がスクリーンに対し垂直方向に平行が保たれない場合の投射型表示装置とスクリーンの関係を示す平面図、及びスクリーンと投影された画像の関係を示す図である。
【図１０】設置要件（３）である、液晶パネル等の光変調素子とスクリーンの線の平行が保たれない場合の投射型表示装置とスクリーンの関係を示す正面図、及びスクリーンと投影された画像の関係を示す図である。
【図１１】（４）の設置要件である、スクリーンの中心と投影レンズの光軸が一致していない場合のスクリーンと投影された画像の関係を示す図である。
【符号の説明】
【００４０】
１…投射型表示装置、２…ランプ、３…光変調素子、４…投影レンズ、５…水準器、５ａ…気泡、５ｂ…水準センタマーカ、６…スクリーン、６ａ…水平センタマーカ、６ｂ…垂直センタマーカ、７…光軸調整ジグ、７ａ…糸、７ｂ…ミラー、８…ホワイトボード、１１…原画像、１２…投影画像、１３…調整用ＯＳＤ、Ｌ…光軸、Ｎ…スクリーン中央の垂線。
【図１】
2007003595.tif 000003
【図２】
2007003595.tif 000004
【図３】
2007003595.tif 000005
【図４】
2007003595.tif 000006
【図５】
2007003595.tif 000007
【図６】
2007003595.tif 000008
【図７】
2007003595.tif 000009
【図８】
2007003595.tif 000010
【図９】
2007003595.tif 000011
【図１０】
2007003595.tif 000012
【図１１】
2007003595.tif 000013